(57)【要約】【課題】汚水受け部が簡単に取り外せて、洗浄が容易となるポータブルトイレを提供する。【解決手段】便器本体の略中央部に便漕取付孔（４）が設けられた便器本体部（１）と、便槽取付孔の周縁部から外方に形成された座面部（２２）に着脱可能に取付けられる汚水受け部（２０）と、汚水受け部に着脱可能に取付けられる便漕（２）とを有するポータブルトイレであって、便漕は、上部が開放され、上部の縁部に折り返し部（２５）を備え、汚水受け部は、便槽の上部縁部の外周部に沿って配設される上方が開放された溝構造（４３）を備えており、汚水受け部の内側壁（２７）部分の上部が便漕の折り返し部の内方に入り込んで係合して便槽を保持する保持部を構成し、汚水受け部の外側壁（２８）部分の上部が外方に延設されて座面部との係止部（２３）を構成していることを特徴としている。【選択図】　　　　　図２
2004097345.tif 000002
【特許請求の範囲】
【請求項１】
便器本体の略中央部に便漕取付孔が設けられた便器本体部と、前記便槽取付孔の周縁部から外方に形成された座面部に着脱可能に取り付けられる汚水受け部と、前記汚水受け部に着脱可能に取り付けられる便漕とを有するポータブルトイレであって、
前記便漕は、上部が開放され、上部の外周部の縁部に、外側から下方に向かう折り返し部を備え、
前記汚水受け部は、前記便槽の上部縁部の外周部に沿って配設される上方が開放された溝構造を備えており、前記溝状の汚水受け部の内側壁部分の上部が、前記便漕の折り返し部の内方に入り込んで係合して前記便槽を保持する保持部を構成し、
前記溝状の汚水受け部の外側壁部分の上部が外方に延設されて、前記座面部との係止部を構成している
ことを特徴とするポータブルトイレ。
【請求項２】
前記便器本体部は、前記座面部の外側から上方へ延びる周壁部と、前記座面部から前記汚水受け部の下方に回り込むように設けられ、上方が開放された溝構造の補助汚水受け部と、をさらに備えていることを特徴とする請求項１に記載のポータブルトイレ。
【請求項３】
前記汚水受け部は、その下面部で、前記補助汚水受け部の溝構造部の上方に、下方に突出したリブが設けられていることを特徴とする請求項２に記載のポータブルトイレ。
【請求項４】
着脱可能な便座をさらに備え、
前記便座の外周部が、前記便器本体部の周壁部の内側で、前記汚水受け部の係止部の上部に載置されていることを特徴とする請求項２又は３に記載のポータブルトイレ。
【発明の詳細な説明】
【０００１】
【発明の属する技術分野】
本発明は、主に一般室内で使用するポータブルトイレに関するものである。
【０００２】
【従来の技術】
従来から、ポータブルトイレを使用する際に、便槽から溢れたり、飛び跳ねたりした汚水（小水など）が床面に零れて汚れるのを防止するために汚水受け部なるものがポータブルトイレには設けられている。例えば、特許文献１では、外容器（便器本体）の開口部周縁に溝状の小水受け桶（汚水受け部）が外容器と一体的に形成されており、便容器（便槽）から外部に漏れる小水をこの小水受け桶に溜めることができるようになっている。
【０００３】
【特許文献１】
特開平１１−２５３３５４号公報
【０００４】
【発明が解決しようとする課題】
上記従来の技術では、小水受け桶が外容器と一体的に形成されているため、小水受け桶の洗浄が面倒であった。より具体的に言うと、特許文献１に記載された上記従来の技術では、小水受け桶が外容器と一体構造となっているので、洗浄する際には、便器が配置されている場所まで洗浄剤やブラシを持っていき、その場所で小水受け桶を洗浄しなければならなかった。しかも、便器の床面に少なからず洗浄剤などが飛び散ってしまうため、小水受け桶を洗浄した後で、洗浄剤などで汚れた床面を雑巾などで拭き取らなければならなかった。
【０００５】
本発明は、斯かる実情に鑑み、汚水受け部が簡単に取り外せる構造のポータブルトイレを提供することを目的とする。さらに、本発明は、汚水受け部の洗浄が容易なポータブルトイレを提供することにある。また、汚水受け部に入らなかった場合でも、予備の汚水受けを設けて床への汚水の汚染を効率的に防止できるポータブルトイレを提供することも本発明の目的である。
【０００６】
【課題を解決するための手段】
上記目的を達成するために、請求項１に記載の発明では、便器本体の略中央部に便漕取付孔が設けられた便器本体部と、前記便槽取付孔の周縁部から外方に形成された座面部に着脱可能に取り付けられる汚水受け部と、前記汚水受け部に着脱可能に取り付けられる便漕とを有するポータブルトイレであって、前記便漕は、上部が開放され、上部外周部の縁部に、外側から下方に向かう折り返し部を備え、前記汚水受け部は、前記便槽の上部縁部の外周部に沿って配設される上方が開放された溝構造を備えており、前記溝状の汚水受け部の内側壁部分の上部が、前記便漕の折り返し部の内方に入り込んで係合して前記便槽を保持する保持部を構成し、前記溝状の汚水受け部の外側壁部分の上部が外方に延設されて、前記座面部との係止部を構成していることを特徴とするポータブルトイレを提供する。
【０００７】
本発明のポータブルトイレは、便器本体部と汚水受け部と便槽とを備えて構成される。便器本体部は、略中央部に便漕取付孔が設けられており、この便槽取付孔の周縁部から外方に形成された座面部に汚水受け部が着脱可能に設けられ、さらに、この汚水受け部の内側縁部に便槽が着脱可能に取り付けられている。即ち、本発明のポータブルトイレは、便器本体部と汚水受け部と便槽とはそれぞれが別体で構成されており、着脱可能な便槽が着脱可能な汚水受け部を介して便器本体部の便槽取付孔に取り付けられた構成となっているのである。
【０００８】
そして、便漕は、上部が開放され、上部の外周縁部に、外側から下方に向かう折り返し部を備えて構成されている。また、汚水受け部は、便槽の上部縁部の外周部に沿って配設される上方が開放された溝構造となっており、この溝構造によって、上方から入り込んできた汚水が汚水受け内部に溜められるのである。しかも、便槽の上部縁部の外周に沿って配設されるものであるため、便槽のどの部分から汚水が溢れたり、飛び散ったりしてきても、汚水は汚水受け部に確実に溜められるのである。なお、この溝構造は、内部に入った汚水等を保持できる構造のものであれば特に限定されるものではない。
【０００９】
さらに、汚水受け部の前記溝状部分の内側壁部分（汚水受け部の便器本体内部側に位置する方の壁部分）の上部が、前記便漕の折り返し部の内方に入り込んで係合して便槽を保持する保持部を構成している。つまり、汚水受け部の内側壁部分に便槽の折り返し部を挿し入れることによって、便槽が汚水受け部に取り付けられるようになっているのである。そして、便層の上部開放部の周壁部の外側に沿って、汚水受け部の溝部が配設される構成となっている。
【００１０】
また、溝状の汚水受け部の外側壁部分（汚水受け部の便器本体外側に位置する側の壁部分）の上部が外方に延設されて、前記座面部との係止部を構成している。つまり、汚水受け部の便器本体部への取り付けは、汚水受け部の外側壁部分の係止部を便器本体部の便槽取付孔の上部に形成された座面部に係止することによってなされているのである。
【００１１】
このように構成された本発明によれば、便槽から溢れたり、飛び散った汚水（小水など）は、便槽の外周壁部の折り返し部を越えても、折り返し部の内方へ汚水受け部の内側壁部分が入り込んで取り付けられているため、汚水は折り返し部をたどって汚水受け部に溜められる。よって、汚水が床面に零れることがない。
【００１２】
溜まった汚水は、着脱可能に取り付けられた汚水受けを取り外して洗い場に持って行って洗浄すれば良いので簡単である。より詳細に言えば、便槽と汚水受けとの取り付け構造は、便槽の折り返し部を汚水受けの内側壁部分に挿し込む形式であり、汚水受けと便器本体部との取り付け構造は、汚水受けの外側壁部分と便器本体部の便槽取付孔の周縁部に形成された座面部に係止する形式であるため、便槽を上方へ持ち上げて取り外せば簡単に汚水受け部は取り外せる。よって、本発明によれば、便層を取り外した後、汚水受け部のみを簡単に取り外して洗い場に持って行って洗浄をすることができるのである。
【００１３】
しかも、汚水受け部が簡単に取り外せる着脱可能なものであるため、ポータブルトイレの便器本体部が配置された場所まで洗浄剤やブラシなどを持って行って、そこで洗浄をする必要はない。従って、従来のように汚水受け部の洗浄の際に、便器本体部が配置されている床面が汚れることもない。
【００１４】
請求項２に記載の発明では、請求項１に記載のポータブルトイレにおいて、前記便器本体部は、前記座面部の外側から上方へ延びる周壁部と、前記座面部から前記汚水受け部の下方に回り込むように設けられ、上方が開放された溝構造の補助汚水受け部と、をさらに備えて構成されている。
【００１５】
便槽から勢いよく溢れ出たり、飛び散ってきた汚水は、汚水受け部を越えて外部へ零れてしまうこともあるが、本発明によれば、便器本体部の座面部の外側に上方へ延びる周壁部が設けられている。この座面部は汚水受け部を係止する部分でもあるので、ここを通り越すと汚水受け部に汚水が入らない場合がある。しかし、本発明では、汚水受け部（座面部）を越えてきた汚水であっても、その外側の周壁部が汚水を遮って外部へ零れるのを防止できる。しかも、この周壁部は、汚水受け部が係止する座面部の外側から上方に延びるように設けられているから、周壁部に当たった汚水は、そのまま座面部と係止する汚水受け部の係止部上面から汚水受け部へと伝っていき、汚水受け部に溜められる。
【００１６】
しかし、汚水受け部の外側壁部分から外方に延設された係止部と座面部との間に取付不具合などで隙間が生じた場合には、その隙間から汚水が床面に漏れることも考えられる。
【００１７】
このような予期せぬ事態であっても汚水が床面に漏れないように、本発明では、便器本体部にさらに補助汚水受け部を備えているので、そこに汚水を溜めることができるようにしている。この補助汚水受け部は、座面部から汚水受け部の下方に回り込むように設けられており、上方が開放された溝構造のものである。
【００１８】
これにより、座面部と汚水受け部の係止部との間の隙間を伝ってきた（汚水受け部の裏側に回り込んだ）汚水は、そのまま本体部の内面を伝わって溝構造の補助汚水受け部に上方から入り込んできて、補助汚水受け部の内部に溜められるので、たとえ、隙間などに汚水が入り込んでも床面にまで汚水が零れることはない。
【００１９】
なお、この補助汚水受け部は、汚水受け部の下方に回り込むように設けられた溝構造であるので、汚水受け部の裏面側を伝わった汚水も、汚水受け部の裏面から離れると、その下部に位置する補助汚水受け部に落ちるので、床などには汚水が飛び散らないものである。
【００２０】
従って、この補助汚水受け部は、汚水受け部の下方に回り込むように構成され、汚水受け部の裏面（下面）に伝わった汚水が雫となって落ちる位置を受けるように配設されているものであればよい。具体的な構造は、汚水受け部の裏面部の構造や、汚水の漏れ量を考慮して適宜決定すれば良い。
【００２１】
また、補助汚水受け部は、汚水受け部の下方へどれだけ回り込んでも、回り込んでさえすれば全て含まれるものであるが、溝構造の汚水受け部の下方に形成された下向きの凸部（即ち、溝構造の溝底部）の頂上部を覆う程度まで回り込んで形成されているのが望ましい。下向き凸部の部分が、主に汚水が雫となって下方に落ちる場所だからである。従って、この下向きの凸部を覆う程度まで回り込んでいない場合には、汚水受け部の係止部と座面部との隙間を流れてきた汚水が汚水受け部の下面部を伝っていき、僅かであるが凸部から床面に滴下する場合も考えられるからである。
【００２２】
また、補助汚水受け部の大きさ（溝幅、溝深さ）は、汚水受け部より小さくすることができる。補助汚水受け部に溜まる汚水は、汚水受け部に溜まる汚水に比べて遥かに少ない量だからである。
【００２３】
補助汚水受け部の洗浄は、便槽と汚水受け部を取り外した後に、ティッシュや雑巾などでさっと拭き取れば十分である。何故なら、補助汚水受け部には、通常の使用では殆ど溜まることはないからである。また、雑巾などで拭き取る際にも、溜まっている汚水は少量なので、洗浄中に汚水が床面に零れることもない。
【００２４】
請求項３に記載の発明は、請求項２に記載のポータブルトイレにおいて、前記汚水受け部の下面で、前記補助汚水受け部の上方には、下方に突出したリブが設けられていることを特徴とするものである。
【００２５】
本発明では、汚水受け部の下面であって、補助汚水受け部の上方の位置に、下方（即ち、補助汚水受け部の方向）に突出したリブが設けられているから、汚水受け部の係止部と座面部との間の隙間から入り込んできた汚水が汚水受け部の下面を伝ってきても、このリブがつい立となって、このリブを伝って汚水は下方に滴下する。そして、このリブが補助汚水受け部の上方の位置にあるから、滴下した汚水はそのまま補助汚水受けで確実に受け止められる。つまり、本発明によれば、汚水が床面に漏れて汚れるのをより確実に防ぐことができるものとなる。
【００２６】
また、リブを設けることにより、このリブから確実に汚水は滴下するので、補助汚水受け部の汚水受け部への回り込みはこのリブの位置まであれば十分である。従って、本発明のように構成することで、補助汚水受け部を小型にすることが可能となる。
【００２７】
ここで、本発明におけるリブは、汚水受け部の下面から下方に突出した形状のものであれば全て含まれるものである。また、このリブは、汚水受け部の下面全周に亘って設けられている方が確実に汚水が補助汚水受け部に滴下するので好ましいが、必ずしも全周に亘って設けられていなくても良い。何故なら、補助汚水受け部にまで流れてくる汚水は少量であるため、全周に亘ってリブが設けられていなくても、ほぼ確実に汚水は補助汚水受け部に滴下するからである。
【００２８】
請求項４に記載の発明は、請求項２又は３に記載のポータブルトイレにおいて、着脱可能な便座をさらに備えて構成され、前記便座の外周部が、前記便器本体部の周壁部の内側で、前記汚水受け部の係止部の上部に載置されていることを特徴とするものである。
【００２９】
本発明によれば、便座は、その外周部が便器本体部の周壁部の内側で汚水受け部の係合部の上部に載置されているため、汚水が便座を飛び越えても、周壁部が汚水の飛散を食い止めることができる。よって、汚水が床面に飛び散ったりして汚れることがない。しかも、周壁部に当たった汚水は壁伝いに流れて行き、汚水受け部の係止部と便器本体部の座面部との間の隙間を通って補助汚水受け部に回収され、そこに溜められるので、床面に汚水が零れることはない。
【００３０】
また、便座は、一般的に上方に盛り上がった断面略逆Ｕ字形状であるため、便槽内面に衝突して跳ね上がった汚水は、便槽と連通する便座の内部空間（逆Ｕ字断面の内側の空間）を通過して便槽の外へ飛び出ることもあるが、便座の外周部が汚水受け部の係止部の上部に載置されるように構成されているため、汚水は便座の外周部の内面で閉じ込められ、外部に飛び出ることなく汚水受け部に溜められる。つまり、便槽から跳ね上がって便座の内部に入り込んだ汚水も、外部へ飛び散ることなく汚水受け部に溜められ、床面に零れることはないのである。
【００３１】
【発明の実施の形態】
以下、本発明の実施の形態を図示例と共に説明する。尚、図中、図と同一の符号を付した部分は同一物又は相当物を表わしている。図１は、本発明の一実施形態に係るポータブルトイレの全体構成を示しており、便器本体の略中央部に便槽取付孔４が設けられた便器本体部１と、便器本体部１の内部に取り付けられた便槽２と、この便槽２の上部に配置されるＯ型の便座３と、その便座３の上部から便槽２の開口部を覆うように設けられた折り畳み可能な便器蓋５と、前記便器本体部１の上面後方部から上方に延びる背もたれ部６と、背もたれ部６の前部の位置で、便器本体部１の上面両側に着脱可能に取り付けられた二つの肘掛け１１ａ，１１ｂとで主に構成されている。なお、便座３の下側には汚水受け部２０及び補助汚水受け部２１が設けられているが、図１では図面の都合上図示しておらず、詳細は別の図面と共に後述する。
【００３２】
次に、本実施形態に係るポータブルトイレの詳細構造について図２と共に説明する。便器本体部１は、その上面部の略中央部に便槽取付孔４が設けられており、この便槽取付孔４の周縁部から外方（図２において右側）に、周方向に沿った平面状の座面部２２が形成されている。さらに、座面部２２の内側（図２において左側）の縁部（即ち、便槽取付孔４の周縁部）から下方に延びた断面略Ｕ字状（上方が開放された形状）の溝構造４１を有する補助汚水受け部２１が形成されている。また、座面部２２の外側縁部には、そこから上方へ延びる周壁部２４が形成されている。そして、これら補助汚水部２１、座面部２２、並びに周壁部２４は、便器本体部１と一体成形されている。
【００３３】
便槽２は、上方が開放されており、外周の上部縁部に、外側から下方に向かう折り返し部２５が形成されており、本体部１から着脱可能な別部材として構成される。なお、図示していないが、便槽２には取り外しを容易とするための回動可能な手提げハンドルが設けられている。
【００３４】
また、汚水受け部２０は、断面略Ｕ字状（上方が開放された形状）の溝構造４３となっており、この溝構造４３の外側壁部分２８の上端部から外方に延設された係止部２３が形成されており、この係止部２３が座面部２２の上面に載置され、本体部１から着脱可能な別体部材として構成されている。
【００３５】
これら便槽２と汚水受け部２０の便器本体部１への取り付けは、まず、便器本体部１の座面部２２に汚水受け部２０の係止部２３を上部から被せるように載置して取り付ける（係止させる）。そして、汚水受け部２０の内側壁部分２７の上部に便槽２の折り返し部２５を挿し込むと、内側壁部分２７の上部が便槽２の保持部となって便槽２をしっかりと保持して、便器本体部１へ汚水受け部２０及び便槽２の取り付けが完了する。なお、補助汚水受け部２１の内側壁部分の上端部が、汚水受け部２０の下面と当接しており、汚水受け部２０及び便槽２を下方から支えている。
【００３６】
さらに、断面略逆Ｕ字状の便座３は、その外周部が便器本体部１の周壁部２４の内側で、汚水受け部２０の係止部２３の上部に載置されている。そして、内周部の下端部は、便槽２の上部に張り出すように配設される。従って、便槽１内ではねた汚水は、便座３の内面側に入り込むと、そのまま外側に伝わって、汚水受け部２０の溝部内（溝構造４３の内側）に導かれる。
【００３７】
また、汚水受け部２０の下面には、下方に突出したリブ２６が設けられており、補助汚水受け部２１が、汚水受け部２０のリブ２６よりもやや便器本体部１内方側にまで回り込むようになっている。即ち、補助汚水受け部２１の内壁部３１の上端部は、前記リブ２６の内側部分で汚水受け部２０の下面に当接しており、汚水受け部２０の幅より補助汚水受け部２１の幅が小さく小型になっている。
【００３８】
この汚水受け部２０、及び、リブ２６は、図３〜図５に示すように、略Ｏ型で枠状外形の汚水受け部２０の下面部に全周に亘ってリブ２６が形成された構成となっている。なお、汚水受け部２０には、上方が開放した略矩形箱状の凹部３０が形成されており、手提げハンドル（図示せず）の一部を止め部４５に載置し、この凹部３０に便槽２の手提げハンドルを収納する。
【００３９】
この凹部３０は、手提げハンドルを掴む際に手指を入れ易くするために汚水受け部２０の下面より若干深く掘り下げられている。そのため、汚水受け部２０を取り外して床面に置いたときに凹部３０によって汚水受け部２０が斜めに傾いてしまうが、これを防止するために、本実施形態では、凹部３０が汚水受け部２０の下面から下方に突出した高さとほぼ同じ高さの位置まで突出する突起２９を汚水受け部２０の前方部の下面に設けている。
【００４０】
このように構成された本実施形態に係るポータブルトイレによれば、便槽２から飛び跳ねた汚水（小水など）は、便座３の下部では、図２の矢印Ａの如く便座３の内部を通って汚水受け部２０に溜められるため、床面に零れて汚れることはない。
【００４１】
また、便座３の上方に飛び出した汚水は周壁部２４で塞き止められ、矢印Ｂの如く、係止部２３と座面部２２との間の隙間を伝わって補助汚水受け部２１に溜められる。よって、便座３を越えてきた汚水でも補助汚水受け部２１に溜められ、床面に零れることはない。
【００４２】
さらに、係止部２３と座面部２２との間の隙間に入り込んだ汚水は、汚水受け部２０の下面を伝わって流れることもあるが、汚水受け部２０の下面から下方へ向かうリブ２６が設けられているから、汚水受け部２０の下面を伝って流れてきた汚水は、このリブ２６から確実に補助汚水受け部２１に滴下する。よって、確実に汚水は補助汚水受け部２１にて受け止められ、床面に汚水が漏れることはない。
【００４３】
汚水受け部２０を洗浄する場合には、便槽２を取り外してから汚水受け部２０を取り外し、洗い場まで運んで洗浄すれば良い。つまり、着脱可能な汚水受け部２０を便器本体部１から取り外して、簡単に洗うことができるのである。よって、ポータブルトイレの設置場所までブラシや洗浄剤などを持ち運んで、その場で洗浄するような面倒な作業は不要であり、ポータブルトイレの設置床面が汚水受け部２０の洗浄中に汚れてしまうこともない。
【００４４】
一方、補助汚水受け部２１は、便器本体部１と一体成形されているので、ポータブルトイレ設置場所で洗浄する必要があるが、この補助汚水受け部２１に溜まる汚水は少量であるから、ティッシュや雑巾で拭き取るだけの簡単な洗浄で済む。よって、ポータブルトイレ床面が汚れてしまうこともない。
【００４５】
【発明の効果】
以上、説明したように、本発明に係るポータブルトイレによれば、汚水受け部が簡単に取り外せ、汚水受け部の洗浄を簡単に行うことができるという優れた効果を奏し得る。しかも、汚水受け部を取り外せるため、汚水受け部を別の場所へ運んで洗浄することができる。よって、汚水受け部を洗浄する際にポータブルトイレの設置床面を汚すことがないという優れた効果を奏し得る。
【００４６】
さらに、汚水受け部を飛び越した汚水も補助汚水受け部に溜まるので、ポータブルトイレの周囲の床などを汚さない効果は、単体の汚水受け部を備えたものよりも更に効果的なものとなり、このポータブルトイレを使用する環境での清掃の手間が従来より少なく、かつ、周囲の清潔度が向上する利点もある。
【図面の簡単な説明】
【図１】本発明の一実施形態に係るポータブルトイレを示す概略構成図である。
【図２】本発明の一実施形態に係るポータブルトイレの詳細構造を説明するための概略断面を示した図である。
【図３】本発明の一実施形態に係るポータブルトイレの汚水受け部を上面側から示した概略図である。
【図４】本発明の一実施形態に係るポータブルトイレの汚水受け部を側面側から示した概略図である。
【図５】本発明の一実施形態に係るポータブルトイレの汚水受け部を底面側から示した概略図である。
【符号の説明】
１：便器本体部
２：便槽
３：便座
４：便槽取付孔
２０：汚水受け部
２１：補助汚水受け部
２２：座面部
２３：係止部
２４：周壁部
２５：折り返し部
２６：リブ
２７：汚水受け部の内側壁部
２８：汚水受け部の外側壁部
【図１】
2004097345.tif 000003
【図２】
2004097345.tif 000004
【図３】
2004097345.tif 000005
【図４】
2004097345.tif 000006
【図５】
2004097345.tif 000007